(57)【要約】【課題】嵩張らず、資材を節約できる安価な吊り下げ用パウチ容器を提供することにある。【解決手段】吊り下げ孔１３を設けた薄板基材１１と、取出口２１を設けたパウチ容器２０と、前記薄板基材１１の片面に片側部分を貼着し、かつ、残る片側部分を前記パウチ容器２０の表面に貼着した粘着フィルム１２と、からなる構成としてある。【選択図】　図１
2004001795.tif 000002
【特許請求の範囲】
【請求項１】
取出口を設けた容器本体の表面に、吊り下げ手段を設けた薄板基材を直接貼着したことを特徴とする吊り下げ用パウチ容器。
【請求項２】
吊り下げ手段を設けた薄板基材と、取出口を設けたパウチ容器と、前記薄板基材の少なくとも片面に片側部分を貼着し、かつ、残る片側部分を前記パウチ容器の表面に貼着した粘着フィルムと、からなることを特徴とする吊り下げ用パウチ容器。
【請求項３】
吊り下げ手段を設け、かつ、下端縁部に巻き取り器具を一体成形した薄板基材と、取出口を設けたパウチ容器と、一端側を前記巻き取り器具に貼着するとともに、他端側を前記パウチ容器の表面に貼着した粘着フィルムと、からなることを特徴とする吊り下げ用パウチ容器。
【請求項４】
吊り下げ手段を設け、かつ、下端縁部に巻き取り器具を一体成形した薄板基材と、取出口を設けたパウチ容器と、一端側を前記パウチ容器の表面に貼着し、中央部に設けた挿入孔から前記薄板基材を突出させるとともに、他端側を前記パウチ容器の裏面に貼着した粘着フィルムと、からなることを特徴とする吊り下げ用パウチ容器。
【請求項５】
吊り下げ手段が、吊り下げ孔であることを特徴とする請求項１ないし４のいずれか１項に記載の吊り下げ用パウチ容器。
【請求項６】
薄板基材の少なくとも片側縁部にヘラ部を一体成形したことを特徴とする請求項１ないし５のいずれか１項に記載の吊り下げ用パウチ容器。
【請求項７】
薄板基材の片側縁部に取出口用ノズルを一体成形したことを特徴とする請求項１ないし６のいずれか１項に記載の吊り下げ用パウチ容器。
【発明の詳細な説明】
【０００１】
【発明の属する技術分野】
本発明は吊り下げ用パウチ容器、いわゆるフックラベルを備えたパウチ容器に関する。
【０００２】
【従来の技術と発明が解決しようとする課題】
従来、シーリング材や接着剤等の粘稠性液体やペースト状材料は、円筒形カートリッジあるいはアルミやプラスチック製のチューブに充填して店頭に陳列販売されている。前記円筒形カートリッジは自立可能であるので、立てたままの状態で陳列販売されている。一方、チューブの場合には、包装箱に収納したり、あるいは、台紙とプラスチックシートとの間に前記チューブを封入する、いわゆるブリスター包装を施して陳列，販売されている。
【０００３】
しかし、前述のカートリッジやチューブは使用後に容積が減少せず、ゴミの減容化が困難である。このような不具合を解消すべく、新たな包装形態として、例えば、特開２００１−３３５０８１号公報においてパウチ容器が提案されている。前記パウチ容器は自立することが困難であり、寝かせた状態で陳列しなければならないので、顧客に対する訴求効果が低い。また、接着作業やシール作業に必要なノズル，ヘラ，マスキングテープ、巻き取り器具等を組み合せて陳列しようとすると、包装箱やブリスター包装が必要となる。
【０００４】
しかしながら、前述の包装箱やブリスター包装ではコストが高くなり、嵩張るとともに、パウチ等を取り出した後の箱やブリスター包装資材を廃棄しなければならず、多くの資材を浪費していた。
【０００５】
本発明は、前記問題点に鑑み、嵩張らず、資材を節約できる安価な吊り下げ用パウチ容器を提供することを目的とする。
【０００６】
【課題を解決するための手段】
本発明にかかる吊り下げ用パウチ容器は、前記目的を達成すべく、取出口を設けた容器本体の表面に、吊り下げ手段を設けた薄板基材を直接貼着した構成としてある。
本発明によれば、パウチ容器および薄板基材だけで構成されているので、嵩張らず、資材を節約できる安価な吊り下げ用パウチ容器が得られる。
【０００７】
また、本発明にかかる別の吊り下げ用パウチ容器は、吊り下げ手段を設けた薄板基材と、取出口を設けたパウチ容器と、前記薄板基材の少なくとも片面に片側部分を貼着し、かつ、残る片側部分を前記パウチ容器の表面に貼着した粘着フィルムと、からなる構成としてある。
本発明によれば、パウチ容器、薄板基材および粘着フィルムだけで構成されているので、嵩張らず、資材を節約できる安価な吊り下げ用パウチ容器が得られる。
【０００８】
本発明にかかる他の吊り下げ用パウチ容器としては、吊り下げ手段を設け、かつ、下端縁部に巻き取り器具を一体成形した薄板基材と、取出口を設けたパウチ容器と、一端側を前記巻き取り器具に貼着するとともに、他端側を前記パウチ容器の表面に貼着した粘着フィルムと、からなる構成であってもよい。また、吊り下げ手段を設け、かつ、下端縁部に巻き取り器具を一体成形した薄板基材と、取出口を設けたパウチ容器と、一端側を前記パウチ容器の表面に貼着し、中央部に設けた挿入孔から前記薄板基材を突出させるとともに、他端側を前記パウチ容器の裏面に貼着した粘着フィルムと、からなる構成であってもよい。
本発明によれば、薄板基材から巻き取り器具を折り取って使用すれば、別体の巻き取り器具を包装資材で包装する必要がない。このため、嵩張らず、資材を節約できる安価な吊り下げ用パウチ容器が得られる。
【０００９】
本発明の実施形態として、前記吊り下げ手段は吊り下げ孔であってもよい。このため、フックに吊り下げ孔を挿通することにより、パウチ容器を吊り下げて陳列できる。
【００１０】
薄板基材の少なくとも片側縁部にヘラ部を一体成形してもよく、あるいは、薄板基材の片側縁部に取出口用ノズルを一体成形してもよい。
本実施形態によれば、薄板基材のヘラ部をそのままシール作業に使用でき、別体のヘラを包装する必要がない。このため、包装資材を節約できるだけでなく、嵩張らず、資材を節約できる安価な吊り下げ用パウチ容器が得られる。また、薄板基材から取出口用ノズルを折り取って使用すれば、別体の取出口用ノズルを包装する必要がない。このため、包装資材を節約できるだけでなく、嵩張らず、資材を節約できる安価な吊り下げ用パウチ容器が得られる。
【００１１】
【発明の実施の形態】
本発明にかかる実施形態を図１ないし図８の添付図面に従って説明する。
第１実施形態は、図１および図２に示すように、フック（図示せず）に吊り下げ具１０を介して吊り下げるパウチ容器２０に適用した場合である。
【００１２】
前記吊り下げ具１０は、正面方形の薄板基材１１の片面に粘着シール１２の片側半分を貼着一体化する一方、前記粘着シール１２の残る片側半分をパウチ容器２０の表面に貼着一体化した場合である。前記薄板基材１１および粘着フィルム１２には、図示しないフックに挿通するための吊り下げ孔１３が設けられている。
【００１３】
前記パウチ容器２０としては、例えば、特開２００１−３３５０８１号公報に開示された船底型のものが挙げられ、その底部分に取出口基体２１を貼付けるとともに、粘稠性の流動体を充填密封してある。
【００１４】
本実施形態では、パウチ容器２０に取り付けた前記吊り下げ具１０の薄板基材１１にヘラ２２を挿通し、図示しない粘着テープで固定してある。前記ヘラ２２は図２に示すように、断面半円形の樹脂成形品の両端に異なる半径の端部２３，２４を設けたものである。さらに、前記ヘラ２２の中央頂部には前記薄板基材１１を挿通できるスリット２５を長さ方向に沿って形成してある。
【００１５】
本実施形態によれば、吊り下げ具１０の薄板基材１１に前記ヘラ２２のスリット２５を挿通して保持できるので、ヘラ２２を簡単に一体化できるという利点がある。
【００１６】
第２実施形態は、図３に示すように、基本的形態は第１実施形態の吊り下げ具１０と同一である。異なる点はパウチ容器２０の裏面側に貼着一体化した粘着フィルム１２の延在部１２ａを前記パウチ２０の表面側に引き出してノズル２６を固定する点である。前記ノズル２６は取出口２１に螺合することにより、パウチ容器２０内の充填物をガイドするものである。
【００１７】
本実施形態によれば、作業に必要なノズル２６をパウチ容器２０に取りつけて陳列，販売でき、便利である。他は前述の第１実施形態とほぼ同様であるので、同一構成部品には同一番号を附して説明を省略する。
【００１８】
第３実施形態は、図４に示すように、前述の第２実施形態とほぼ同様である。異なる点は吊り下げ具１０の薄板基材１１の両側縁部から第１，第２ヘラ部１４，１５を延在した場合である。
【００１９】
本実施形態によれば、前記ヘラ部１４，１５をシール作業に使用できるので、薄板基材１１を有効活用できるだけでなく、別体のヘラを組み付ける必要がない。このため、嵩張らず、包装資材を節約できる。
【００２０】
第４実施形態は、図５に示すように、吊り下げ具１０の薄板基材１１の片側縁部にヘラ部１４を一体成形するとともに、残る片側にノズル１６を一体成形する場合である。
本実施形態によれば、薄板基材１１を有効利用できるだけでなく、別体のヘラやノズルを準備して包装する必要がないので、嵩張らず、資材を節約できるという利点がある。
【００２１】
第５実施形態は、図６に示すように、マスキングテープ２７を介してパウチ容器２０を吊り下げるようにした場合である。本実施形態にかかる吊り下げ具１０は、正面略Ｌ字形状の粘着フィルム１２で、薄板基材１１，ノズル２６およびマスキングテープ２７を連結してある。
【００２２】
すなわち、薄板基材１１の裏面に貼着した前記粘着フィルム１２の角部をパウチ２０の裏面に貼着するとともに、その一端側の延在部１２ａを前記パウチ容器２０の表面側に引き出してノズル２６を固定してある。一方、他端側の延在部１２ｂをマスキングテープ２７の穴を通した後、前記薄板基材１１の表面およびパウチ２０の表面に貼着してある。
【００２３】
本実施形態によれば、マスキングテープ２７を図示しないフックに掛けることにより、パウチ容器２０を吊り下げることができる。このため、多数の付属品をパウチ容器２０と一緒に陳列できるだけでなく、薄板基材１１にフック孔を設ける必要がなく、作業工数が減少するという利点がある。
【００２４】
第６実施形態は、図７および図８に示すように、薄板基材１１に一体成形した巻き取り器具１７を介してパウチ容器２０を吊り下げる場合である。
前記薄板基材１１は、図８に示すように、両側縁部にヘラ部１４，１５を一体成形してあるとともに、その下端に巻き取り器具１７を一体成形してある。そして、巾広の粘着フィルム１２の挿通孔１２ｃから前記薄板基材１１を突出させるとともに、前記粘着フィルム１２の片側をパウチ容器２０の裏面に貼着する一方、残る片側をパウチ２０の表面に貼着してノズル２６を固定してある。なお、本実施形態では、２本の粘着テープを使用して付属品を固定してもよい。
【００２５】
本実施形態によれば、嵩張る巻き取り器具１７を吊り下げ具１０の一部に利用することにより、コンパクトに吊り下げることができるという利点がある。
【００２６】
なお、本実施形態では、ノズル２６を巾広の粘着フィルム１２の片側で固定するだけでなく、例えば、パウチ容器２０の裏面に貼着した粘着フィルム１２の一部をパウチ容器２０の表面に引き出し、前記パウチ容器２０の表面にノズル２６を止めるようにしてもよい。
【００２７】
また、前述の吊り下げ手段は吊り下げ孔に限らず、薄板基材から切り出した係合用爪部であってもよい。
【００２８】
さらに、粘着フィルムを使用せずに薄板基材をパウチ容器の表面に直接貼着する場合には、前記薄板基材の片面をパウチ容器の表面に貼着するだけでなく、例えば、前記薄板基材を２つ折りにし、その対向する内向面を前記パウチ容器の表裏面にそれぞれ貼着してもよい。
【００２９】
【発明の効果】
本発明によれば、パウチ容器および薄板基材だけで構成されているので、嵩張らず、資材を節約できる安価な吊り下げ用パウチ容器が得られるという効果がある。
【図面の簡単な説明】
【図１】本発明にかかる吊り下げ用パウチ容器の第１実施形態を示し、図Ａは正面図、図Ｂは右側面図である。
【図２】図１で示したヘラの部分破断斜視図である。
【図３】本発明にかかる吊り下げ用パウチ容器の第２実施形態を示し、図Ａは正面図、図Ｂは右側面図である。
【図４】本発明にかかる吊り下げ用パウチ容器の第３実施形態を示し、図Ａは正面図、図Ｂは右側面図である。
【図５】本発明にかかる吊り下げ用パウチ容器の第４実施形態を示し、図Ａは正面図、図Ｂは右側面図である。
【図６】本発明にかかる吊り下げ用パウチ容器の第５実施形態を示し、図Ａは正面図、図Ｂは右側面図である。
【図７】本発明にかかる吊り下げ用パウチ容器の第６実施形態を示し、図Ａは正面図、図Ｂは右側面図である。
【図８】図７で示した薄板基材の部分破断斜視図である。
【符号の説明】
１０…吊り下げ具、１１…薄板基材、１２…粘着フィルム、１３…吊り下げ孔、１４，１５…ヘラ部、１６…ノズル、１７…巻き取り器具、２０…パウチ容器、２１…取出口、２２…ヘラ、２６…ノズル。
【図１】
2004001795.tif 000003
【図２】
2004001795.tif 000004
【図３】
2004001795.tif 000005
【図４】
2004001795.tif 000006
【図５】
2004001795.tif 000007
【図６】
2004001795.tif 000008
【図７】
2004001795.tif 000009
【図８】
2004001795.tif 000010